(57)【要約】【課題】吸引器本体への脂肪の引き込み空間を十分確保した上で移動もでき、薄い衣類の上からも吸引マッサージが可能な吸引器の構造を提供すること、及び吸引器を回転させ捻りを加えることで脂肪除去効果を高めることを課題とする。【解決手段】  本発明は前述の課題を解決するために発明されたもので、吸引器本体の径及び吸引口から高さ方向の寸法が十分確保され、吸引口の周りには真空時に空気の侵入を防止する弾性体が設けられ、弾性体の周りには美肌効果の高いゲルマニウム球が複数個取り付けられたことを特徴とする。また、この吸引器を左右に回転させることで、マッサージ効果を高め脂肪除去を促進させることを第二の特徴とする。更に、吸引される脂肪層の量を一定に制限することで脂肪除去を促進させることを第３の特徴とする。【選択図】図１
2010162076.tif 000002
【特許請求の範囲】
【請求項１】
底面から高さ方向へ壁を円柱状に立ち上げ、途中から球状に形成して本体とし、本体の天面には吸引管２が取付けられ、本体下部の内側に、くの字形に壁を形成し、内側の壁の底面部には弾性体（ａ）を、くの字形に壁で仕切られた内部にはボールが複数個取付られ、ボールの天面には補助板が取付けられ、補助板と、くの字形壁の天面との間に弾性体（ｂ）を設けたことを特徴とする移動式脂肪減少用吸引器の構造。
【請求項２】
本体の球状に形成する位置までの高さを、本体の径を１とした場合、底面からの長さを０．５以上にすることを特徴とする請求項１記載の移動式脂肪減少用吸引器の構造。
【請求項３】
弾性体（ａ）の内部に中空部を設け、内部の空気圧を加減することを特徴とする請求項１から２いずれか１項に記載の移動式脂肪減少用吸引器の構造。
【請求項４】
吸引器本体を外から覆うように、吸引管２の下部にベアリング１８を介して、回転構造部外枠１３を設け、その内部にはモータ１４と遊星歯車１５を介して、駆動用歯車１６が取付けられ、吸引器本体の周りにはベルト状の歯車１７が取り付けられ、モータを回転させることで左右に回転反復動作を繰り返すことを特徴とする請求項１から３いずれか１項に記載の移動式脂肪減少用吸引器の構造。
【請求項５】
吸引器本体内側にセンサを設け、脂肪層の吸引量を一定に保つようにすることを特徴とする請求項１から４いずれか１項に記載の移動式脂肪減少用吸引器の構造。
【請求項６】
本体を上下中央部付近から２つに分割し、下部を本体とし大きさ別に数種類用意して、上部を吸引アダプターとして構成したことを特徴とする請求項１から５いずれか１項に記載の移動式脂肪減少用吸引器の構造。
【請求項７】
吸引器本体内部に脂肪層制限構造部２６を取り付けたことを特徴とする請求項１から６いずれか１項に記載の移動式脂肪減少用吸引器の構造。
【請求項８】
吸引器本体１外周部又は補助板又は脂肪層制限構造２６に、又は吸引器本体１外周部及び脂肪層制限構造２６に、又は補助板及び脂肪層制限構造２６にヒーターを取り付けたことを特徴とする請求項１から７いずれか１項に記載の移動式脂肪減少用吸引器の構造。
【発明の詳細な説明】
【技術分野】
【０００１】
本発明は移動式脂肪減少用吸引器の構造に関する。
【背景技術】
【０００２】
体内脂肪を除去する美容器具はこれまで様々なものが開発されている。中でも吸引器状の本体吸引口を体に押し当て、本体内部を真空にすることで、脂肪を吸引しマッサージをすることで脂肪の吸収を促進する器具は、これまで吸引する部位を固定し、別の部位を吸引する場合には、一旦真空を解き、吸引口を移動しあらためて吸引し直すことで行っている。
【０００３】
脂肪を効率よく除去するためには、脂肪の吸引によるマッサージを連続して与えることが望ましく、真空状態で吸引器本体を移動させることが理想である。特開２００５−２９６０４２において、吸引器本体に２本のローラーを取り付け、このローラーが移動時の抵抗を軽減する構造が記載されているが、吸引時の脂肪が吸引器本体内に引き込まれるのは、２本のローラー間の限られた空間であるため、移動はし易いが脂肪除去の効果はあまり期待できないという課題が残る。
【先行技術文献】
【特許文献】
【０００４】
【特許文献１】特開２００５−２９６０４２号（第４頁、図１）
【発明の概要】
【発明が解決しようとする課題】
【０００５】
吸引器本体への脂肪の引き込み空間を十分確保した上で移動もでき、薄い衣類の上からも吸引マッサージが可能な吸引器の構造を提供すること、及び吸引器を回転させ捻りを加えることで脂肪除去効果を高めることを課題とする。
【課題を解決するための手段】
【０００６】
本発明は前述の課題を解決するために発明されたもので、吸引器本体の径及び吸引口から高さ方向の寸法が十分確保され、吸引口の周りには真空時に空気の侵入を防止する弾性体が設けられ、弾性体の周りには美肌効果の高いゲルマニウム球が複数個取り付けられたことを特徴とする。また、この吸引器を左右に回転させることで、マッサージ効果を高め脂肪除去を促進させることを第２の特徴とする。更に、吸引される脂肪層の量を一定に制限することで脂肪除去を促進させることを第３の特徴とする。
【発明の効果】
【０００７】
脂肪吸引と吸引器の移動により、除去したい脂肪部を満遍なくマッサージでき、効率のよい脂肪除去が可能となる。また、薄手の衣類の上からも吸引マッサージが可能で、家庭内でも手軽に実施することができる。
【０００８】
吸引器本体を左右に回転反復動作させ左右に捻ること及び脂肪層の吸引量を一定に保つことで、マッサージ効果が高まり脂肪除去が促進される。
【０００９】
ゲルマニウム球を使用することで、吸引マッサージと同時に美肌効果を与えることも可能となる。
【図面の簡単な説明】
【００１０】
【図１】本発明の正面図
【図２】本発明の平面図
【図３】本発明の低面図
【図４】ヒーターを取付けた一例の正面図
【図５】Ａ-Ｂ断面図
【図６】Ｃ−Ｄ左側面図
【図７】アダプター構成とした場合の一例の参考図
【図８】弾性体（ａ）の内部を中空にした一例の断面図
【図９】回転構造部の内部構造を示す一例の正面図
【図１０】回転構造部の内部構造を示す一例の平面図
【図１１】脂肪層の引込とセンサ位置の一例の断面図１
【図１２】脂肪層「の引込とセンサ位置の一例の断面図２
【図１３】脂肪層の引き込み制限構造を設けた一例の断面図
【図１４】脂肪層制限構造部の平面図
【発明を実施するための最良の形態】
【００１１】
本発明の構成について、実施例を基に図面を引用して説明する。
【実施例１】
【００１２】
本体１を底面から高さ方向へ壁を円柱状に立ち上げ、途中から球状に形成する。球状に形成しはじめる位置Ｘは本体の径を１とした場合、底面からの長さを０．５以上にすることが望ましい。本体１の天面に吸引用の吸引管２が取付けられ、吸引管２には吸引ホース止め３を形成する。吸引管２の内部には、吸引時の異物等を除去するためのフィルターを取り付ける。吸引管２へ真空ポンプ等を接続し吸引を行う。図１は本発明の正面図、図２は平面図、図３は底面図である。
本体は費用、生産性を考慮すると樹脂性が望ましいが、ヒーターを取り付ける場合は金属製が望ましい。金属では特にチタンが望ましい。
フィルター材には、不織布やスポンジ、紙、布等、通気性のある素材を使用し、洗浄又は取替え可能な構造とする。図５は吸引管のＣ−Ｄ断面図である。
【００１３】
本体１底部の内側に、くの字形に天面と側面に壁を形成し、壁の底面部には弾性体（ａ）５が、壁で仕切られた内部にはボール４が取付られる。弾性体（ａ）５は皮膚又は衣類と直接接触する部分であり、吸引時に本体１内への空気の侵入を防ぐ役割と、肌や衣類を傷つけない柔軟な接触をする役割を持ち合わせる。
弾性体（ａ）５の材質は、柔軟な樹脂又はゴム系が望ましい。また、表面はやや粗さを持たせることで、皮膚との接触抵抗が軽減でき、使用時の移動負担を軽減できる。
図６は本体１のＡ−Ｂ断面図である。
【００１４】
ボール４は、くの字形の壁で仕切られた内部に隙間なく本体内周部を囲うように、複数個並べて取り付ける。ボールとの間に仕切りを設けて、ボールの数を調整してもよい。ボールの天面には補助板９が取付けられ、補助板９と、くの字形壁の天面との間に弾性体（ｂ）６を設け、ボールが上下に移動できる構造とする。本体外壁の底面部には、ツメを形成しボールが安易に外れないような構造とする。
ボール４の材質は、美肌効果を促進するためゲルマニウムが望ましいがこれに限定するものではない。
弾性体（ｂ）６は、金属製又は樹脂製のコイルバネ又は板バネが望ましいが、復元性のある柔軟な樹脂、復元力のある金属製又は樹脂性の構造体であってもよい。
【００１５】
本体外周部であって上下中央部付近にはヒーター８を取り付ける。ヒーター８からの熱により脂肪燃焼を助長させる。ヒーター８は熱線ヒーター等がのぞましい、またヒーター８には温度調節機能を設けることも可能である。
補助板９にヒーター８を設けてもよい。補助板９からの熱が、ボール４に伝わり前述の効果が表れる。図４は本体１にヒーターを取付けた一例の正面図である。
【００１６】
本構成の吸引器は、吸引する部位に応じて、本体の径を変えた吸引器を複数個用意し、顔等に施す場合は小さな吸引器を用いて行うなど、汎用性を持たせることも可能となる。
【実施例２】
【００１７】
本体１の上下中央部付近から２つに分割し、下部を本体とし大きさ別に数種類用意して、上部を吸引アダプターとして構成してもよい。図７はアダプター構成とした場合の一例の参考図である。
【実施例３】
【００１８】
弾性体（ａ）５の内部に中空部１１を設け、内部の空気圧を加減することで、柔軟性を持たせつつ、移動時に空気圧を上げ移動し易くする、及び空気圧を下げ位置固定時の密着性を高める使用方法が可能のように構成してもよい。図８は弾性体（ａ）の内部を中空にした一例の断面図である。
【実施例４】
【００１９】
吸引器本体を外から覆うように、回転構造部外枠１３を設け、スイッチ２１を入れることで、本体が回転し左右に反復動作をさせる。
本体上部の吸引管２の下部にベアリング１８を介して、回転構造部の外枠１３を取り付ける。回転構造部外枠１３の内部には、モータ１４と遊星歯車１５を取付け、遊星歯車の先には駆動用歯車１６を取付ける。吸引器本体の周りにベルト状の歯車１７を取り付け、駆動用歯車１６と組み合わせる。この構造を対称となる位置に２箇所取り付ける。図９は回転構造部の内部構造を示す一例の正面図、図１０は回転構造部の内部構造を示す一例の平面図である。
【００２０】
モータ１４を回転させ略４５度回転した位置で、モータ１４を逆回転させ元の位置へ戻し、更に反対方向へ略４５度回転させ、この位置でモータを逆回転させ元の位置へ戻す。この動作を繰り返すように、モータ１４への入力電源をコントロールする。電子部品基板２０に前述の動作を行うプログラムを搭載することで、スイッチ２１を入れている間において、回転反復動作を繰り返すようにする。本構成では左右に略４５度回転が可能な構造としており、反復動作の折り返し位置は４５度に限られず、任意の位置で行えるようプログラムすることも可能である。
【実施例５】
【００２１】
吸引器本体内側に光電センサ２２を２箇所に設け、この位置まで吸引された脂肪層がそれ以上吸引されないよう吸引量を調整し、脂肪層の吸引量を一定に保つようにする。吸引した脂肪層を本体内部に密着させず、本体内の真空部をある程度保つことで、吸引された脂肪層のマッサージ効果を助長できる。図１１は脂肪層の引込とセンサ位置の一例の断面図１、図１２は脂肪層の引込とセンサ位置の一例の断面図２である。
【００２２】
使用するセンサは光電センサに限定されるものではなく、物体の位置や高さが検出できるものであればよい。また、センサは小型のものが望ましい。
【００２３】
前述の位置検出手段に変わり、本体内の空気圧を検出して吸引量を調整する方法もある。この場合、空気圧センサ２３を本体内側に取付け、設定された範囲内の空気圧に達したときに、吸引量を調整し脂肪層の吸引量を一定に保つようにする。
【００２４】
センサで検出された位置を保持するために、センサからの信号を受けた真空ポンプが吸引量を調整するための、吸引力調整手段を真空ポンプへ設ける。吸引力調整手段には手動で調整できる機能を設けることも可能とする。
【００２５】
吸引する脂肪層の量は、吸引器本体内部容積に対し、４０％〜６０％が望ましく、本体の容積に応じて脂肪層の吸引量が４０％〜６０％となる位置に光電センサ２２を取付ける。空気圧センサ２３の場合は、前述の範囲に収まる空気圧の値を設定する。
【００２６】
吸引する部位により、脂肪が少なく吸引器本体内部容積の４０％〜６０％に満たないことも想定されるため、真空ポンプの吸引力調整を手動で行える機能を設けることも可能である。
【実施例６】
【００２７】
吸引する脂肪層の量を物理的且つ簡易的に制限する手段として、吸引器本体内部に脂肪層制限構造部２６を設けることで、その構造部より先に吸引されないように制限する。
【００２８】
吸引器本体内部にアングル系止部２８を取り付け、このアングル系止部間にアングル２７を取り付け、アングル２８に脂肪層制限構造部２６を取り付ける。アングル２７は引き込み量を複数選択できるよう、複数個設けられる構造とする。図１３は脂肪層の引き込み制限構造を設けた一例の断面図、図１４は脂肪層制限構造部の平面図である。
【００２９】
アングル２７はアングル系止部２８の間へ差込み又はネジ等で取り付け、脂肪層制限構造部２６はピン、板バネ、嵌め込み又はネジ等でアングル２７へ固定する。固定方法についてはこれらに限定するものではない。脂肪層制限部２９は本例では網状を示しているが、これに限定するものではなく、格子状や目を疎にしたものなど、多孔性の構造であればよい。
【００３０】
脂肪層制限構造部２６にヒータを内臓させる若しくは貼り付ける等により、脂肪層制限部２６が直接皮膚に触れながら熱を伝達し、脂肪除去を助長させることも可能である。
【産業上の利用可能性】
【００３１】
この吸引器は工業生産が可能であり、供給者において生産、販売が可能であり、又吸引装置及び自走装置との組合せでの販売や美容室やエステでの利用も可能である。
【符号の説明】
【００３２】
１  本体                      １１  中空部              ２１  スイッチ
２  吸引管                    １２  くの字形の壁        ２２  光電センサ
３  吸引ホース止め            １３  回転機構部外枠      ２３  空気圧センサ
４  ボール                    １４  モータ              ２４  引込み高さライン
５  弾性体（ａ）              １５  遊星歯車            ２５  脂肪層
６  弾性体（ｂ）              １６  駆動用歯車          ２６  脂肪層制限構造部
７  フィルター                １７  ベルト上歯車        ２７  アングル
８  ヒーター                  １８  ベアリング          ２８  アングル系止部
９  補助版                    １９  ベアリング保持部    ２９  脂肪層制限部
１０  アダプター              ２０  電子部品基板
Ｘ  球状に形成しはじめる位置
【図１】
2010162076.tif 000003
【図２】
2010162076.tif 000004
【図３】
2010162076.tif 000005
【図４】
2010162076.tif 000006
【図５】
2010162076.tif 000007
【図６】
2010162076.tif 000008
【図７】
2010162076.tif 000009
【図８】
2010162076.tif 000010
【図９】
2010162076.tif 000011
【図１０】
2010162076.tif 000012
【図１１】
2010162076.tif 000013
【図１２】
2010162076.tif 000014
【図１３】
2010162076.tif 000015
【図１４】
2010162076.tif 000016
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
底面から高さ方向へ壁を円柱状に立ち上げ、途中から球状に形成して本体とし、本体の天面には吸引管２が取付けられ、本体下部の内側に、くの字形に壁を形成し、内側の壁の底面部には弾性体（ａ）を、くの字形に壁で仕切られた内部にはボールが複数個取付られ、ボールの天面には補助板が取付けられ、補助板と、くの字形壁の天面との間に弾性体（ｂ）を設けた吸引器において、本体の球状に形成する位置までの高さを、本体の径を１とした場合、底面からの長さの比を０．５以上にすることを特徴とする移動式脂肪減少用吸引器。
【請求項２】
吸引器本体を外から覆うように、吸引管２の下部にベアリング１８を介して、回転構造部外枠１３を設け、その内部にはモータ１４と遊星歯車１５を介して、駆動用歯車１６が取付けられ、吸引器本体の周りにはベルト状の歯車１７が取り付けられ、モータを回転させることで左右に回転反復動作を繰り返すことを特徴とする請求項１に記載の移動式脂肪減少用吸引器。
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
吸引器の本体１を外から覆うように、吸引管２の下部にベアリング１８を介して、回転構造部外枠１３を設け、該回転構造部の内部にモータ１４と遊星歯車１５を取り付け、該遊星歯車１５の先端には駆動用歯車１６が取付けられ、本体１の周りにはベルト状の歯車１７を取り付けて該駆動用歯車１６と組合せ、モータ１４を回転又は逆回転させることで、本体１を左右に回転反復動作を繰り返すことを特徴とする移動式脂肪減少用吸引器。
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
底面から高さ方向へ壁を円筒状に立ち上げ、途中の高さ位置（Ｘ）から上方に向けて半球状に形成して本体（１）とし、本体（１）の頂点部には吸引管（２）が取付けられ、本体（１）底部の内側に、本体（１）の内面からボール（４）の直径分の長さを隔てた位置から垂直に形成した円筒状で、途中から本体（１）の内面に向けて水平に形成した天面で構成された、断面が略直角形状の壁（１２）を形成し、前記壁（１２）の底面部には弾性体ａ（５）を設け、本体（１）底部の内面と前記壁の間にはボール（４）が複数個取付けられ、ボール（４）の上部には補助板（９）が取付けられ、補助板（９）と、前記壁（１２）の天面との間に弾性体ｂ（６）を設けた吸引器において、本体（１）の直径を１とした場合、本体（１）底面から高さ位置（Ｘ）までの寸法の比を０．５以上とし、本体（１）を外から覆うように、吸引管（２）の下部にベアリング（１８）を介して、回転構造部外枠（１３）を設け、該回転構造部外枠（１３）の内部にモータ（１４）と遊星歯車（１５）を取り付け、該遊星歯車（１５）の先端には駆動用歯車（１６）が取付けられ、本体（１）の周りにはラックギアを本体外周部に這わせるようにしたベルト状の歯車（１７）を取り付けて該駆動用歯車（１６）と組合せ、モータ（１４）を回転又は逆回転させることで、本体（１）を左右に回転反復動作を繰り返すようにしたことを特徴とする移動式脂肪減少用吸引器。
【手続補正２】
【補正対象書類名】明細書
【補正対象項目名】全文
【補正方法】変更
【補正の内容】
【発明の詳細な説明】
【技術分野】
【０００１】
本発明は移動式脂肪減少用吸引器の構造に関する。
【背景技術】
【０００２】
体内脂肪を除去する美容器具はこれまで様々なものが開発されている。中でも吸引器状の本体吸引口を体に押し当て、本体内部を真空にすることで、脂肪を吸引しマッサージをすることで脂肪の吸収を促進する器具は、これまで吸引する部位を固定し、別の部位を吸引する場合には、一旦真空を解き、吸引口を移動しあらためて吸引し直すことで行っている。
【０００３】
脂肪を効率よく除去するためには、脂肪の吸引によるマッサージを連続して与えることが望ましく、真空状態で吸引器本体を移動させることが理想である。特開２００５−２９６０４２において、吸引器本体に２本のローラーを取り付け、このローラーが移動時の抵抗を軽減する構造が記載されているが、吸引時の脂肪が吸引器本体内に引き込まれるのは、２本のローラー間の限られた空間であるため、移動はし易いが脂肪除去の効果はあまり期待できないとうい課題が残る。
【先行技術文献】
【特許文献】
【０００４】
【特許文献１】特開２００５−２９６０４２号（第４頁、図１）
【発明の概要】
【発明が解決しようとする課題】
【０００５】
吸引器本体への脂肪の引き込み空間を十分確保した上で移動もでき、薄い衣類の上からも吸引マッサージが可能な吸引器の構造を提供すること、及び吸引器を回転させ捻りを加えることで脂肪除去効果を高めることを課題とする。
【課題を解決するための手段】
【０００６】
本発明は前述の課題を解決するために発明されたもので、吸引器本体の径及び吸引口から高さ方向の寸法が十分確保され、吸引口の周りには真空時に空気の侵入を防止する弾性体が設けられ、弾性体の周りには美肌効果の高いゲルマニウム球が複数個取り付けられたことを特徴とする。また、この吸引器を左右に回転させることで、マッサージ効果を高め脂肪除去を促進させることを第２の特徴とする。更に、吸引される脂肪層の量を一定に制限することで脂肪除去を促進させることを第３の特徴とする。
【発明の効果】
【０００７】
脂肪吸引と吸引器の移動により、除去したい脂肪部を満遍なくマッサージでき、効率のよい脂肪除去が可能となる。また、薄手の衣類の上からも吸引マッサージが可能で、家庭内でも手軽に実施することができる。
【０００８】
吸引器本体を左右に回転反復動作させ左右に捻ること及び脂肪層の吸引量を一定に保つことで、マッサージ効果が高まり脂肪除去が促進される。
【０００９】
ゲルマニウム球を使用することで、吸引マッサージと同時に美肌効果を与えることも可能となる。
【図面の簡単な説明】
【００１０】
【図１】本発明の正面図
【図２】本発明の平面図
【図３】本発明の低面図
【図４】ヒーターを取付けた一例の正面図
【図５】Ａ-Ｂ断面図
【図６】Ｃ−Ｄ左側面図
【図７】アダプター構成とした場合の一例の参考図
【図８】弾性体ａの内部を中空にした一例の断面図
【図９】回転構造部の内部構造を示す一例の正面図
【図１０】回転構造部の内部構造を示す一例の平面図
【図１１】脂肪層の引込とセンサ位置の一例の断面図１
【図１２】脂肪層の引込とセンサ位置の一例の断面図２
【図１３】脂肪層の引込み制限構造を設けた一例の断面図
【図１４】脂肪層制限構造部の平面図
【発明を実施するための最良の形態】
【００１１】
本発明の構成について、実施例を基に図面を引用して説明する。
【実施例１】
【００１２】
本体（１）を底面から高さ方向へ壁を円筒状に立ち上げ、途中から上方に向けて半球状に形成する。本体（１）の直径を１とした場合、半球状に形成しはじめる高さの位置（Ｘ）は、本体（１）の底面から高さ寸法の比を０．５以上にすることが望ましい。本体（１）の頂点部に吸引用の吸引管（２）が取付けられ、吸引管（２）には吸引ホース止め（３）を形成する。吸引管（２）の内部には、吸引時の異物等を除去するためのフィルターを取り付ける。吸引管（２）へ真空ポンプ等を接続し吸引を行う。図１は本発明の正面図、図２は平面図、図３は底面図である。
本体は費用、生産性を考慮すると樹脂性が望ましいが、ヒーターを取り付ける場合は金属製が望ましい。金属では特にチタンが望ましい。
フィルター材には、不織布やスポンジ、紙、布等、通気性のある素材を使用し、洗浄又は取替え可能な構造とする。図６は吸引管のＣ−Ｄ断面図である。
【００１３】
本体（１）底部の内側に、本体（１）の内面からボール（４）の直径分の長さを隔てた位置から垂直に形成した円筒状で、途中から本体（１）の内面に向けて水平に形成した天面で構成された、断面が略直角形状の壁（１２）を形成し、前記壁（１２）の底面部には弾性体ａ（５）を設け、本体（１）底部の内面と前記壁の間にはボール（４）が取付けられる。弾性体ａ（５）は皮膚又は衣類と直接接触する部分であり、吸引時に本体（１）内への空気の侵入を防ぐ役割と、肌や衣類を傷つけない柔軟な接触をする役割を持ち合わせる。
弾性体ａ（５）の材質は、柔軟な樹脂又はゴム系が望ましい。また、表面はやや粗さを持たせることで、皮膚との接触抵抗が軽減でき、使用時の移動負担を軽減できる。
図５は本体１のＡ−Ｂ断面図である。
【００１４】
ボール（４）は、前記断面が略直角形状の壁（１２）で仕切られた本体（１）底部と壁の間に隙間なく本体（１）内周部を囲うように、複数個並べて取り付ける。ボールとの間に仕切りを設けて、ボールの数を調整してもよい。ボール（４）の上部には補助板（９）が取付けられ、補助板（９）と、断面が略直角形状の壁（１２）の天面との間に弾性体ｂ（６）を設け、ボール（４）が上下に移動できる構造とする。本体（１）外壁の底面部には、ツメを形成しボールが安易に外れないような構造とする。
ボール（４）の材質は、美肌効果を促進するためゲルマニウムが望ましいがこれに限定するものではない。
弾性体ｂ（６）は、金属製又は樹脂製のコイルバネ又は板バネが望ましいが、復元性のある柔軟な樹脂、復元力のある金属製又は樹脂性の構造体であってもよい。
【００１５】
本体外周部であって上下中央部付近にはヒーター（８）を取り付ける。ヒーター（８）からの熱により脂肪燃焼を助長させる。ヒーター（８）は熱線ヒーター等がのぞましい、またヒーター（８）には温度調節機能を設けることも可能である。
補助板（９）にヒーター（８）を設けてもよい。補助板（９）からの熱が、ボール（４）に伝わり前述の効果が表れる。図４は本体（１）にヒーターを取付けた一例の正面図である。
【００１６】
本構成の吸引器は、吸引する部位に応じて、本体の径を変えた吸引器を複数個用意し、顔等に施す場合は小さな吸引器を用いて行うなど、汎用性を持たせることも可能となる。
【実施例２】
【００１７】
本体（１）の上下中央部付近から２つに分割し、下部を本体とし大きさ別に数種類用意して、上部を吸引アダプターとして構成してもよい。図７はアダプター構成とした場合の一例の参考図である。
【実施例３】
【００１８】
弾性体ａ（５）の内部に中空部（１１）を設け、内部の空気圧を加減することで、柔軟性を持たせつつ、移動時に空気圧を上げ移動し易くする、及び空気圧を下げ位置固定時の密着性を高める使用方法が可能のように構成してもよい。図８は弾性体ａ（５）の内部を中空にした一例の断面図である。
【実施例４】
【００１９】
吸引器本体（１）を外から覆うように、回転構造部外枠（１３）を設け、スイッチ（２１）を入れることで、本体（１）が回転し左右に反復動作をさせる。
本体（１）上部の吸引管（２）の下部にベアリング（１８）を介して、回転構造部外枠（１３）を取り付ける。回転構造部外枠（１３）の内部には、モータ（１４）と遊星歯車（１５）を取付け、遊星歯車（１５）の先には駆動用歯車（１６）を取付ける。吸引器本体（１）の周りにラックギアを本体外周部に這わせるようにしたベルト状の歯車（１７）を取り付け、駆動用歯車（１６）と組み合わせる。この構造を対称となる位置に２箇所取り付ける。図９は回転構造部の内部構造を示す一例の正面図、図１０は回転構造部の内部構造を示す一例の平面図である。
【００２０】
モータ（１４）を回転させ略４５度回転した位置で、モータ（１４）を逆回転させ元の位置へ戻し、更に反対方向へ略４５度回転させ、この位置でモータ（１４）を逆回転させ元の位置へ戻す。この動作を繰り返すように、モータ（１４）への入力電源をコントロールする。電子部品基板（２０）に前述の動作を行うプログラムを搭載することで、スイッチ（２１）を入れている間において、回転反復動作を繰り返すようにする。本構成では左右に略４５度回転が可能な構造としており、反復動作の折り返し位置は４５度に限られず、任意の位置で行えるようプログラムすることも可能である。
【実施例５】
【００２１】
吸引器本体内側に光電センサ（２２）を２箇所に設け、この位置まで吸引された脂肪層がそれ以上吸引されないよう吸引量を調整し、脂肪層の吸引量を一定に保つようにする。吸引した脂肪層を本体内部に密着させず、本体内の真空部をある程度保つことで、吸引された脂肪層のマッサージ効果を助長できる。図１１は脂肪層の引込とセンサ位置の一例の断面図１、図１２は脂肪層の引込とセンサ位置の一例の断面図２である。
【００２２】
使用するセンサは光電センサに限定されるものではなく、物体の位置や高さが検出できるものであればよい。また、センサは小型のものが望ましい。
【００２３】
前述の位置検出手段に変わり、本体内の空気圧を検出して吸引量を調整する方法もある。この場合、空気圧センサ（２３）を本体内側に取付け、設定された範囲内の空気圧に達したときに、吸引量を調整し脂肪層の吸引量を一定に保つようにする。
【００２４】
センサで検出された位置を保持するために、センサからの信号を受けた真空ポンプが吸引量を調整するための、吸引力調整手段を真空ポンプへ設ける。吸引力調整手段には手動で調整できる機能を設けることも可能とする。
【００２５】
吸引する脂肪の量は、吸引器本体（１）内部容積に対し、４０％〜６０％が望ましく、本体の容積に応じて脂肪層の吸引量が４０％〜６０％となる位置に光電センサ（２２）を取付ける。空気圧センサ（２３）の場合は、前述の範囲に収まる空気圧の値を設定する。
【００２６】
吸引する部位により、脂肪が少なく吸引器本体（１）内部容積の４０％〜６０％に満たないことも想定されるため、真空ポンプの吸引力調整を手動で行える機能を設ける必ことのも可能である。
【実施例６】
【００２７】
吸引する脂肪層の量を物理的且つ簡易的に制限する手段として、吸引器本体（１）内部に脂肪層制限構造部（２６）を設けることで、その構造部より先に吸引されないように制限する。
【００２８】
吸引器本体（１）内部にアングル系止部（２８）を取り付け、このアングル系止部間にアングル（２７）を取り付け、アングル（２７）に脂肪層制限機構部（２６）を取り付ける。アングル系止部２８は引き込み量を複数選択できるよう、複数個設けられる構造とする。図１３は脂肪層の引込み制限構造を設けた一例の断面図、図１４は脂肪層制限構造部の平面図である。
【００２９】
アングル（２７）はアングル系止部（２８）の間へ差込み又はネジ等で取り付け、脂肪層制限構造部（２６）はピン、板バネ、嵌め込み又はネジ等でアングル（２７）へ固定する。固定方法についてはこれらに限定するものではない。脂肪層制限部（２９）は本例では網状を示しているが、これに限定するものではなく、格子状や目を疎にしたものなど、多孔性の構造であればよい。
【００３０】
脂肪層制限構造部（２６）にヒーターを内臓させる若しくは貼り付ける等により、脂肪層制限部（２６）が直接皮膚に触れながら熱を伝達し、脂肪除去を助長させることも可能である。
【産業上の利用可能性】
【００３１】
この吸引器は工業生産が可能であり、供給者において生産、販売が可能であり、又吸引装置及び自走装置との組合せでの販売や美容室やエステでの利用も可能である。
【符号の説明】
【００３２】
１  本体              １１  中空部                  ２１  スイッチ
２  吸引管            １２  断面が略直角形状の壁    ２２  光電センサ
３  吸引ホース止め    １３  回転機構部外枠          ２３  空気圧センサ
４  ボール            １４  モータ                  ２４  引込み高さライン
５  弾性体ａ          １５  遊星歯車                ２５  脂肪層
６  弾性体ｂ          １６  駆動用歯車              ２６  脂肪層制限構造部
７  フィルター        １７  ベルト状の歯車          ２７  アングル
８  ヒーター          １８  ベアリング              ２８  アングル系止部
９  補助版            １９  ベアリング保持部        ２９  脂肪層制限部
１０  アダプター      ２０  電子部品基板
Ｘ  球状に形成しはじめる位置